(57)【要約】  【課題】  排気フィルターの除塵を容易に行え、吸塵力を維持することができる電気掃除機を提供することである。  【解決手段】  電気掃除機は、電動送風機２と、電動送風機２の駆動により吸込んだ塵を溜める集塵部３と、電動送風機２の排気側８に設けられ、電動送風機２の外周を覆う円筒形状の排気フィルター９と、排気フィルター９の除塵を行う除塵部材１０と、電動送風機２、集塵部３、排気フィルター９、及び除塵部材１０を覆い、排気フィルター９と外部とを連通する開口部１ａを有する本体１とを備え、除塵部材１０は、電動送風機２と排気フィルター９との間に設けられ、且つ排気フィルター９と略同心円状の輪形部１０ａと、輪形部１０ａから突出し端部が排気フィルター９に接触するＬ字型の鉤形部１０ｂと、輪形部１０ａに外部から操作される突部１０ｃとからなるものである。【選択図】      図１
2006129976.tif 000002
【特許請求の範囲】
【請求項１】
電動送風機と、該電動送風機の駆動により吸込んだ塵を溜める集塵部と、少なくとも前記電動送風機の排気側に設けられた排気フィルターと、該排気フィルターの除塵を行う除塵部材と、前記電動送風機、前記集塵部、前記排気フィルター、及び前記除塵部材を覆い、前記排気フィルターと外部とを連通する開口部を有する本体と、を備えた電気掃除機。
【請求項２】
前記排気フィルターは前記電動送風機の外周を覆う円筒形状であり、前記除塵部材は前記電動送風機と前記排気フィルターとの間に設けられ、且つ前記排気フィルターと略同心円状の輪形部と、該輪形部から突出し端部が前記排気フィルターに接触するＬ字型の鉤形部とからなることを特徴とする請求項１記載の電気掃除機。
【請求項３】
前記輪形部に外部から操作される突部を設けることを特徴とする請求項２記載の電気掃除機。
【請求項４】
前記突部は前記本体の開口部と重なる位置に設けられ、前記突部の操作により前記除塵部材が回転駆動することを特徴とする請求項３記載の電気掃除機。
【請求項５】
前記輪形部に、前記除塵部材の駆動により前記本体の開口部と重なる位置に切り欠きを設けることを特徴とする請求項２〜４の何れかに記載の電気掃除機。
【請求項６】
前記輪形部の上面に前記切り欠きに向かって低くなる傾斜部を設けることを特徴とする請求項２〜５の何れかに記載の電気掃除機。
【請求項７】
前記切り欠きと前記電動送風機との間の前記輪形部に、前記電動送風機に沿った壁部を設けることを特徴とする請求項５又は６記載の電気掃除機。
【発明の詳細な説明】
【技術分野】
【０００１】
電気掃除機の排気フィルターの除塵構造に関するものである。
【背景技術】
【０００２】
従来の電気掃除機の例として、特許文献１や図１１及び図１２に示すものが挙げられる。例えば、特許文献１には、通気性のフィルターケースを設けて、吸塵室の接続口とフィルターケースとの間に補助フィルターを配置した電気掃除機が開示されている。
【０００３】
また図１１は、従来の電気掃除機の概略側面図である。図中の破線は掃除機本体２０の内部構造を示している。この電気掃除機は、掃除機本体２０に電動送風機２が内蔵されており、電動送風機２の吸込側に集塵部３が配される。集塵部３にはホース組品６の一端が接続される。ホース組品６の他端には、延長管５の一端が接続される。延長管５の他端には床用吹込口４が接続される。図１２は、図１１の電動送風機２周辺の断面図である。電動送風機２の排気側８には排気フィルター９が備えられる。この排気フィルター９は電動送風機２の周囲を囲む円筒型である。従って、電動送風機２からの排気は全て排気フィルター９を通過することになる。排気フィルター９を通過した排気は本体排気口（不図示）から外部に排出される。
【特許文献１】特公平６−２１１５号公報
【発明の開示】
【発明が解決しようとする課題】
【０００４】
これら従来の電気掃除機の構成によると、集塵部３（特許文献１においては吸塵室）に設けられた集塵袋７（特許文献１においてはフィルター）をすり抜けた微細塵は排気フィルター９（特許文献１においては補助フィルター）で捕獲される。ここで、集塵袋７（特許文献１においては補助フィルター）は頻繁に取り替える必要があるため、容易に脱着可能に配されている。しかしながら、上記従来の電気掃除機には、排気フィルター９（特許文献１においては補助フィルター）に蓄積した微細塵を除塵する機構はない。排気フィルター９（特許文献１においては補助フィルター）を脱着するには掃除機本体２０を分解しなければならない。従って、排気フィルター９（特許文献１においては補助フィルター）のメンテナンスは日常的には行うことができない。その結果、排気フィルター９の目詰まりにより、徐々に電気掃除機の吸塵力が落ちる。
【０００５】
本発明は、排気フィルターの除塵を容易に行え、吸塵力を維持することができる電気掃除機を提供することを目的とする。
【課題を解決するための手段】
【０００６】
上記目的を達成するために本発明の電気掃除機は、排気フィルターの除塵を行う除塵部材と、排気フィルターと外部とを連通する開口部を有する本体とを備えたものである。
【０００７】
この構成によると、ユーザにより除塵部材が操作されると、除塵部材が排気フィルターを除塵する。そして、除塵により落とされた微細塵は開口部から排出される。このように、排気フィルターの除塵を容易に行え、電気掃除機の吸塵力を維持することができる。
【０００８】
上記の電気掃除機において、排気フィルターは電動送風機の外周を覆う円筒形状であり、除塵部材は電動送風機と排気フィルターとの間に設けられ、且つ排気フィルターと略同心円状の輪形部と、輪形部から突出し端部が排気フィルターに接触するＬ字型の鉤形部とからなる構成とすることができる。
【０００９】
この構成によると、ユーザにより除塵部材が操作されると、鉤形部が排気フィルターを振動させ、排気フィルターの除塵ができる。このように、簡単な構成で除塵部材を形成することができる。
【００１０】
上記の電気掃除機において、輪形部に外部から操作される突部を設けることにより、ユーザは突部を持って容易に除塵部材を操作できる。
【００１１】
上記の電気掃除機において、突部は本体の開口部と重なる位置に設けることにより、ユーザは突部の操作により容易に除塵部材を回転駆動することができる。除塵部材が回転することにより除塵の効率が向上する。
【００１２】
上記の電気掃除機において、輪形部に、除塵部材の駆動により本体の開口部と重なる位置に切り欠きを設けることにより、除塵部材の駆動時に切り欠きと開口部が重なる状態が生じ、このとき微細塵が開口部から排出されるので、容易に排気フィルターの除塵と微細塵の排出を行える。
【００１３】
上記の電気掃除機において、輪形部の上面に切り欠きに向かって低くなる傾斜部を設けることにより、微細塵が傾斜部を滑り落ちるので、開口部から微細塵が排出されやすくなる。
【００１４】
上記の電気掃除機において、切り欠きと電動送風機との間の輪形部に、電動送風機に沿った壁部を設けることにより、ユーザが外部から電動送風機に触れられなくなり、安全性が向上する。
【発明の効果】
【００１５】
本発明によると、外部からユーザにより除塵部材が操作されると、除塵部材が排気フィルターの除塵を行い、除塵により落とされた微細塵は開口部から排出されるので、排気フィルターの除塵を容易に行え、電気掃除機の吸塵力を維持することができる。
【発明を実施するための最良の形態】
【００１６】
本発明の電気掃除機の外観は図１１の従来例とほぼ同じであるので説明を省略する。図１は、本発明の電気掃除機の電動送風機周辺の断面図である。掃除機本体１には、電動送風機２と、排気フィルター９と、除塵部材１０とが内蔵されている。
【００１７】
電動送風機２は、略円柱状であり、掃除機本体１の後部に配される。この電動送風機２の駆動により、床用吹込口４から吸込まれた空気は、延長管５、ホース組品６、集塵部３（集塵袋７を含む）、電動送風機２、排気フィルター９、本体排気口（不図示）を通過して外部に排気される。
【００１８】
排気フィルター９は、円筒型であり、電動送風機２の周囲を囲むように配される。つまり、電気掃除機に吸い込まれた空気は全て排気フィルター９を通過してから外部に排気される。この排気フィルター９は、集塵袋７で捕獲されなかった微細塵を捕獲する。
【００１９】
除塵部材１０は、排気フィルター９の除塵を行うものである。そして、除塵部材１０は電動送風機２と排気フィルター９との間に設けられる。図２に除塵部材１０の正面図を、図３に除塵部材１０の平面図を示す。この除塵部材１０は、排気フィルター９と略同心円状でドーナツ板状の輪形部１０ａと、輪形部１０ａから上方に突出し端部が排気フィルター９に接触するＬ字型で棒状の鉤形部１０ｂ（図３では４つ）と、輪形部１０ａから下方に突出し外部からユーザにより操作される突部１０ｃとからなる。
【００２０】
掃除機本体１の底面には、排気フィルター９と外部とを連通する開口部１ａが形成されている。この開口部１ａは、除塵部材１０の突部１０ｃと重なる位置であって、輪形部１０ａよりも狭幅のドーナツ状に形成される。即ち、開口部１ａを通じて突部１０ｃが外部へ露出している。この構成により、ユーザが外部から突部１０ｃを持って除塵部材１０を回転駆動させることができる。
【００２１】
除塵部材１０が回転すると、鉤形部１０ｂが排気フィルター９を振動させるので、排気フィルター９の微細塵が落下する。そして、ユーザにより外部から突部１０ｃが押されると、輪形部１０ａと掃除機本体１の底面との間に隙間ができ、排気フィルター９から落下した微細塵が外部に排出される。このように、ユーザが外部から突部１０ｃを回転操作し、また突部１０ｃを押すだけで、排気フィルター９を容易に除塵でき、電気掃除機の吸塵力を維持することができる。
【００２２】
図４は、本発明の他の電気掃除機の電動送風機周辺の断面図であり、図５は、図４のＡ−Ａ線断面図、図６は、図５の掃除機本体１のみの図、図７は、図４の除塵部材１０の平面図、図８は、図７のＢ−Ｂ線断面図である。
【００２３】
この電気掃除機は、上記の電気掃除機において、輪形部１０ａに切り欠き１０ｄと傾斜部１０ｅを設け、掃除機本体１の開口部１ａを切り欠き１０ｄと同形状にしたものである。その他の構成は上記の電気掃除機と同様である。
【００２４】
除塵部材１０は、排気フィルター９と略同心円状でドーナツ板状の輪形部１０ａと、輪形部１０ａから上方に突出し端部が排気フィルター９に接触するＬ字型で棒状の鉤形部１０ｂ（図７では４つ）と、輪形部１０ａから下方に突出し外部からユーザにより操作される突部１０ｃと、鉤形部１０ｂに隣接して輪形部１０ａに形成される切り欠き１０ｄ（図７では４つ）と、隣接する切り欠きの間の輪形部１０ａの上面に一方の切り欠きに向かって低くなる傾斜部１０ｅとからなる。なお、傾斜部１０ｅは山形の断面形状、つまり傾斜部の中央から両端に向けて低くなる形状としてもよい。
【００２５】
掃除機本体１の底面には、排気フィルター９と外部とを連通する開口部１ａが形成されている。この開口部１ａは、除塵部材１０の突部１０ｃ及び切り欠き１０ｄと重なる位置に形成される。即ち、開口部１ａを通じて突部１０ｃが外部へ露出しているとともに、開口部１ａ及び切り欠き１０ｄを通じて外部に連通している。なお、開口部１ａは切り欠きよりも大きくても小さくても構わない。この構成により、ユーザが外部から突部１０ｃを持って除塵部材１０を回転駆動させることができる。なお、突部１０は開口部１ａの範囲で駆動可能である。除塵部材１０の駆動により、切り欠き１０ｄと開口部１ａが重なり外部と連通される状態と、切り欠き１０ｄと掃除機本体１の底面が重なり外部と遮断される状態とをとり得る。
【００２６】
除塵部材１０が回転すると、鉤形部１０ｂが排気フィルター９を振動させるので、排気フィルター９の微細塵が落下する。そして、切り欠き１０ｄと開口部１ａが重なり外部と連通される状態にすると、傾斜部１０ｅに落下した微細塵が傾斜を利用して切り欠き１０ｄに導かれ外部に排出される。一方、除塵部材１０の除塵後には切り欠き１０ｄと掃除機本体１の底面が重なり外部と遮断される状態にすることで、通常の集塵動作、つまり電動送風機２が駆動する場合に、開口部１ａから排気されることを防止できる。このように、ユーザが外部から突部１０ｃを回転操作するだけで、排気フィルター９を容易に除塵でき、電気掃除機の吸塵力を維持することができる。また、傾斜部１０ｅを設けたことにより、微細塵が排出されやすくなる。
【００２７】
図９は、他の形態の除塵部材の平面図、図１０は、図９のＣ−Ｃ線断面図である。図９及び図１０の除塵部材は、図７の除塵部材１０に壁部１０ｆを設けたものである。この壁部１０ｆは、切り欠き１０ｄと電動送風機２との間の輪形部１０ａに、電動送風機２に沿って設けられる。図９及び図１０では、壁部１０ｆは輪形部１０ａの上面側であって鉤形部１０ｂと同程度の高さに鉤形部１０ｂ間全体に設けられている。これにより、ユーザが開口部１ａを通じて電動送風機２に触れることができなくなるので、安全性が向上する。なお、壁部１０ｆが高くなるほど電動送風機２の排気効率が悪くなるので、壁部１０ｆの高さは安全性を確保できる最低の高さとすることが望ましい。また、壁部１０ｆは指が入らない程度の格子状等、通気孔を有する形状とすれば、安全性を確保しつつ排気効率の悪化も防ぐことができる。
【００２８】
なお、本発明において除塵部材１０は、排気フィルター９に接触する部分と、外部に露出して操作される部分とを備えれば、どんな形状でもよい。例えば、輪形部１０ａは、多角形状としてもよい。また例えば、鉤形部１０ｂは、排気フィルター９に接触する端部を増やすことにより、除塵効率が向上する。これには、鉤形部１０ｂの数を増やしたり、１つの鉤形部１０ｂを分岐して複数の端部を有する形状としたりすることが考えられる。また例えば、突部１０ｃは、１つの開口部１ａに対して２つ以上設けてもよく、ユーザが操作できる形状であればその形状に特に限定はない。
【００２９】
上記の実施形態では集塵部に集塵袋を用いる電気掃除機を例に説明したが、集塵方式には特に限定はなく、集塵部としてサイクロン方式等を用いてもよい。
【産業上の利用可能性】
【００３０】
本発明の電気掃除機は、集塵袋を用いた方式やサイクロン方式等、排気フィルターを有する様々な機構の電気掃除機に利用することができる。
【図面の簡単な説明】
【００３１】
【図１】は、本発明の電気掃除機の電動送風機周辺の断面図である。
【図２】は、図１の除塵部材の正面図である。
【図３】は、図１の除塵部材の平面図である。
【図４】は、本発明の他の電気掃除機の電動送風機周辺の断面図である。
【図５】は、図４のＡ−Ａ線断面図である。
【図６】は、図５の掃除機本体のみの図である。
【図７】は、図４の除塵部材の平面図である。
【図８】は、図７のＢ−Ｂ線断面図である。
【図９】は、本発明の他の形態の除塵部材の平面図である。
【図１０】は、図９のＣ−Ｃ線断面図である。
【図１１】は、従来の電気掃除機の概略側面図である。
【図１２】は、図１１の電動送風機周辺の断面図である。
【符号の説明】
【００３２】
１、２０    掃除機本体
１ａ    開口部
２    電動送風機
３    集塵部
９    排気フィルター
１０    除塵部材
１０ａ    輪形部
１０ｂ    鉤形部
１０ｃ    突部
１０ｄ    切り欠き
１０ｅ    傾斜部
１０ｆ    壁部
【図１】
2006129976.tif 000003
【図２】
2006129976.tif 000004
【図３】
2006129976.tif 000005
【図４】
2006129976.tif 000006
【図５】
2006129976.tif 000007
【図６】
2006129976.tif 000008
【図７】
2006129976.tif 000009
【図８】
2006129976.tif 000010
【図９】
2006129976.tif 000011
【図１０】
2006129976.tif 000012
【図１１】
2006129976.tif 000013
【図１２】
2006129976.tif 000014